(57)【特許請求の範囲】
【請求項１】
内鍋と、該内鍋を加熱する加熱手段と、該加熱手段の出力量を制御するマイコン式の加熱制御手段と、該マイコン式の加熱制御手段のマイコン部分に電源を供給する電源電池とを備え、上記電源電池を所定の回路基板の電源電池装着部に装着するようにしてなる電気炊飯器において、上記電源電池装着部に、複数組の電源電池端子接続口部を設け、それらの何れかを選択して電源電池を接続することにより、所望の機種に切換えて機種設定することができるようにしたことを特徴とする電気炊飯器。
【請求項２】
電源電池の端子は、一対の脚部構造をなし、一方対応する電源電池装着部の複数組の各接続口部は、それら一対の脚部が挿入される一対の接続孔となっていることを特徴とする請求項１記載の電気炊飯器。
【請求項３】
電源電池が接続されると、当該電源電池が接続された接続口部位置に応じて異なる入力電圧がマイコンに入力され、同入力電圧値に基いて、マイコンは指定された機種の判定と対応する制御データの設定を行うようになっていることを特徴とする請求項１又は２記載の電気炊飯器。
【請求項４】
マイコンによる機種の判定がなされると、その判定機種名が所定の表示部に表示されるようになっていることを特徴とする請求項３記載の電気炊飯器。
【請求項５】
所定の表示部は、電源電池装着部が設けられたマイコン基板上に設置されている炊飯器用の表示手段であることを特徴とする請求項４記載の電気炊飯器。
【請求項６】
判定された機種名の表示は、製品検査ラインにおけるラインエージング工程においてなされるようになっていることを特徴とする請求項４又は５記載の電気炊飯器。
【請求項７】
判定された機種名の表示は、製品組付ラインにおけるマイコン基板上の電源電池装着部への電源電池の接続に対応してなされるようになっていることを特徴とする請求項４又は５記載の電気炊飯器。
【請求項８】
機種の相違は、炊飯容量の相違であることを特徴とする請求項１，２，３，４，５，６又は７記載の電気炊飯器。
【請求項９】
機種の相違は、内鍋の種類の相違であることを特徴とする請求項１，２，３，４，５，６又は７記載の電気炊飯器。
【発明の詳細な説明】
【０００１】
【発明の属する技術分野】
本願発明は、マイコン基板を共用化し、同基板部分で炊飯容量その他の機種の相違に応じた制御機能の切換設定を行えるようにしたマイコン式の電気炊飯器に関するものである。
【０００２】
【従来の技術】
一般に電気炊飯器は、例えば１升炊き、５．５合炊き、３合炊き等最大炊飯容量を異にする複数の機種が存在する。また、最近の電磁誘導型の電気炊飯器では、使用する内鍋の種類を異にするものもあり、それらの間では、何れの場合にも定格出力、その他の加熱制御特性を異にする。
【０００３】
そこで、これらに関し、その定格炊飯電力（定格最大出力）や加熱制御特性等、その機種（炊飯容量、内鍋種類）に応じた適正な制御機能の設定が必要となる。
【０００４】
かと言って、それら炊飯容量や内鍋の種類を異にする各機種毎に専用のマイコン基板を作って搭載するのでは、基板コストに加えて製造効率も悪くなり、製品のトータルコストも上昇する。
【０００５】
そこで、最近では上記マイコン基板を各機種に共通に使用できる汎用タイプのものとし、その機種に対応して製造ライン上で、任意に制御データを切換えられるようにしたものが提供されている。
【０００６】
この従来の電気炊飯器の炊飯容量の切換え等は、例えばマイコン基板における外付部品としての複数のジャンパーソケットを使用して行っていた。
【０００７】
【発明が解決しようとする課題】
したがって、そのような構成の場合、別途外付部品としてのジャンパーソケットが必要になり、部品コストが増加するとともに、切換作業にも手間がかかっていた。また、誤って切換えた場合の判定が難しく、修復変更も困難であった。
【０００８】
本願発明は、このような問題を解決するためになされたもので、マイコン基板上の電源電池の端子接続位置によって、簡単かつ低コストに炊飯容量や内鍋の種類等機種に応じた切換えを行えるようにした電気炊飯器を提供することを目的とするものである。
【０００９】
【課題を解決するための手段】
本願発明は、該目的達成するために、各々次のような課題解決手段を備えて構成されている。
【００１０】
（１）  請求項１の発明
この発明の電気炊飯器は、内鍋と、該内鍋を加熱する加熱手段と、該加熱手段の出力量を制御するマイコン式の加熱制御手段と、該マイコン式の加熱制御手段のマイコン部分に電源を供給する電源電池とを備え、上記電源電池を所定の回路基板の電源電池装着部に装着するようにしてなる電気炊飯器において、上記電源電池装着部に、複数組の電源電池端子接続口部を設け、それらの何れかを選択して電源電池を接続することにより、所望の機種に切換えて機種設定することができるようになっていることを特徴としている。。
【００１１】
したがって、このような構成では、例えばマイコンのバックアップ用電源電池の基板の接続端子を所望の接続位置に接続するだけで、容易かつ正確に機種の切換、設定を行うことができる。
【００１２】
（２）  請求項２の発明
この発明の電気炊飯器は、上記請求項１の発明の構成において、電源電池の端子は、一対の脚部構造をなし、一方対応する電源電池装着部の複数組の各接続口部は、それら一対の脚部が挿入される一対の接続孔となっている。
【００１３】
したがって、このような構成では、例えばマイコンのバックアップ用電源電池の一対の脚部を所望の一対の接続孔に挿入して接続するだけで、容易かつ正確に機種の切換、設定を行うことができる。
【００１４】
（３）  請求項３の発明
この発明の電気炊飯器は、上記請求項１又は２の発明の構成において、上記電源電池が接続されると、当該電源電池が接続された接続口部位置に応じて異なる入力電圧がマイコンに入力され、同入力電圧値に基いて、マイコンは指定された機種の判定と対応する制御データの設定を行うようになっている。
【００１５】
したがって、このような構成では、例えばマイコンのバックアップ用電源電池を所望の接続口部に接続するだけで、その位置に応じて入力される入力電圧の値に基いて、容易かつ正確に機種の切換、設定を行うことができ、それに対応した自動的な制御データの設定がなされる。
【００１６】
（４）  請求項４の発明
この発明の電気炊飯器は、上記請求項３の発明の構成において、上記マイコンによる機種の判定がなされると、その判定機種名が所定の表示部に表示されるようになっていることを特徴としている。
【００１７】
したがって、このような構成によると、例えば上記マイコンのバックアップ用電源電池の接続口部位置が正しかったか否かが、当該表示部の表示を見ることにより、容易にチェック可能となる。
【００１８】
（５）  請求項５の発明
この発明の電気炊飯器は、上記請求項４の発明の構成において、上記所定の表示部は、電源電池装着部が設けられたマイコン基板上に設置されている炊飯器用の表示手段であることを特徴としている。
【００１９】
一般に製造ライン、製品検査ライン上の電気炊飯器は、外部の装置と電気的に接続することが困難である。
【００２０】
一方、一般に電気炊飯器には、その操作パネルに対応して炊飯メニューや時刻その他を表示する液晶表示パネル等よりなる表示手段があり、それは通常上述のマイコン基板上に設けられている。そして、該表示手段は、上記マイコンとともに上記バックアップ用の電源電池を動作電源としても作動する。
【００２１】
したがって、該表示手段は、上述の判定された機種名の表示手段として有効である。
【００２２】
（６）  請求項６の発明
この発明の電気炊飯器は、上記請求項４又は５の発明の構成において、上記判定された機種名の表示は、製品検査ラインにおけるラインエージング工程においてなされるようになっていることを特徴としている。
【００２３】
マイコン基板に電源電池が接続されると、その電源によりマイコンはもちろん、液晶表示パネル等表示部の表示動作も可能となる。
【００２４】
そこで、例えば製品検査工程のラインエージング工程において、すでに接続されている電源電池の接続位置に対応した機種名を、上記のような液晶パネル等所定の表示部に表示するようにすれば、作業者は適正な接続位置と異なっていることを容易にチェックすることができ、その後、正しく接続位置を変更することができる。
【００２５】
その結果、機種切換えの誤りを防止することができる。
【００２６】
（７）  請求項７の発明
この発明の電気炊飯器は、上記請求項４又は５の発明の構成において、上記判定された機種名の表示は、製品組付ラインにおけるマイコン基板の電源電池装着部への電源電池の接続に対応してなされるようになっている。
【００２７】
一般にマイコン基板に電源電池が接続されると、その電源によりマイコンはもちろん、液晶表示パネル等表示部の表示動作も可能となる。
【００２８】
そこで、それと同時に当該接続された接続位置に対応した機種名を上記のような所定の表示部に表示するようにすれば、作業者は意図した接続位置と異なっていることに直ちに気付くことができ、ハンダを行う前に正しく接続位置を変更することができる。
【００２９】
その結果、機種切換えの誤りを、製品検査前の段階で事前に防止することができる。
【００３０】
（８）  請求項８の発明
この発明の電気炊飯器は、上記請求項１，２，３，４，５，６又は７の発明の構成において、上記機種の相違は、炊飯容量の相違であることを特徴としている。。
【００３１】
したがって、該構成では、上記マイコン用電源電池の接続口部位置の選択のみで、簡単かつ正確に、炊飯容量に応じた機種の切換えを行うことができる。
【００３２】
（９）  請求項９の発明
この発明の電気炊飯器は、上記請求項１，２，３，４，５，６又は７の発明の構成において、上記機種の相違が、内鍋の種類の相違であることを特徴としている。
【００３３】
最近の電磁誘導加熱方式の電気炊飯器における内鍋は、従来から一般的なクラッド鋼タイプのものの中でも、その積層枚数や材質の組み合わせを異にする新しい種類のものが登場しており、それらを製品グレードに応じて使い分けるようにしている。
【００３４】
そして、これらの内鍋は、当然その誘導加熱特性を異にし、仮に同一の電力を供給したとしても、その加熱出力や出力特性は異なってくる。
【００３５】
したがって、これら内鍋の種類を異にする機種の相違に対しても、上記炊飯量の相違の場合と同様の対応が必要となり、上記各発明の構成および作用が有益となる。
【００３６】
【発明の効果】
以上の結果、本願発明の電気炊飯器によると、各機種に対応して制御データ等の切換、設定が、マイコン基板に対する電源電池の接続位置の選択のみで、簡単かつ正確に行えるようになり、作業効率が高く、切換間違いを生じにくくなる。
【００３７】
また、切換えのためだけにジャンパーソケット等専用の部品を必要とせず、既存の部品を活用して切換えを行うことができるので、製品コストも低下する。
【００３８】
【発明の実施の形態】
図１〜図８は、本願発明の実施の形態に係るマイコン式の電気炊飯器の炊飯器本体の構成および同炊飯器本体の要部の構成と作用、並びに製品検査システムの内容をそれぞれ示している。
【００３９】
（全体の特徴）
先ず本実施の形態の電気炊飯器は、その炊飯器本体側において例えば内鍋３として電磁誘導の可能な磁性金属板よりなるものが採用されている一方、当該内鍋３に対する炊飯時の加熱手段として、合成樹脂製の保護枠（内ケース）４を介して当該内鍋３の底壁部３ａから側壁部３ｂの略全体を包み込むように当該内鍋３の底壁部３ａの中央部側と側方部側、および側壁部３ｂの下方側の３ケ所の全周に対応する３組のワークコイルＣ１，Ｃ２，Ｃ３が設けられ、また当該内鍋３に対する保温時の加熱手段として、当該内鍋３の側壁部３ｂの上方側全周に対応する保温ヒータＨ１が設けられている。そして、それらをマイコン制御ユニット４２によって適切に駆動制御することによって適切な炊飯機能と保温機能とを実現できるようになっている。
【００４０】
一方、それらの各機能に対するタイマー予約や炊飯および保温メニューの選択、それら各メニューに対応した加熱パターンの操作設定は、当該電気炊飯器本体Ａの前面側操作パネル部２０に設けられた各種入力スイッチ群２２ａ〜２２ｈを介してユーザーにより行われ、その設定内容に応じて最終的に上記ワークコイルＣ１〜Ｃ３および保温ヒータＨ１が制御されるようになっている。
【００４１】
また、上記操作パネル部２０の中央部には、炊飯、保温の各メニュー、並びに現在時刻および炊飯完了までの残時間その他の必要事項を表示する液晶表示部２１が設けられている。この液晶表示部２１は、上記操作パネル部２０の内側にあるマイコン基板６Ｂ上に設けられている液晶ディスプレイ３１のディスプレイ面によって構成されている。
【００４２】
本実施の形態の場合、プリント基板は、大きく分けると、例えばＩＧＢＴ等ワークコイルＣ１〜Ｃ３の電力制御手段を備えた制御基板６Ａと上記マイコン基板６Ｂとからなっているが、上記マイコン基板６Ｂは、さらに例えば図３に示すように各種入力スイッチ群２２ａ〜２２ｈおよび液晶ディスプレイ３０等を備えた操作基板６１部分とマイコンのバックアップ用の電源電池設置部（電池用ランド部）３５および定格出力可変抵抗３２等を備えたマイコン用電源基板６２部分とからなっている。
【００４３】
そして、上記マイコン用電源基板６２部の電源電池設置部３５の表面から裏面にかけては、第１〜第３の複数組の電源電池接続孔（電池脚挿入孔）Ａ，Ｂ，Ｃが、他方その裏面には、対応するアース側第１〜第３の複数組の接続回路パターン（アース側ショート端子回路）Ａ，Ｂ，Ｃが用意されており、例えば図４に示すマイコンバックアップ用の電源電池４０をそれら何れかの電源電池接続孔（電池脚挿入孔）Ａ，Ｂ，Ｃおよび接続回路パターンＡ，Ｂ，Ｃを選んで接続することにより、例えば炊飯容量を異にする第１〜第３の３種の機種１８０（１升炊き）、１５０（８合炊き）、１００（５．５合炊き）に対応して、その機能（定格出力、加熱出力特性等）を切換えることができるようになっている。
【００４４】
そして、以上のような電気炊飯器は、例えば図６のラインＬ１のような組立工程を経て組立てられ、ラインＬ２のような製品検査工程で、その性能が検査される。
【００４５】
また、この検査工程では、例えば図７、図８に示すようなエージング検査が行われ、その際に上記機種設定の正否が併せてチェックされる。
【００４６】
（炊飯器本体部分の構成）
すなわち、先ず該電気炊飯器の炊飯器本体は、例えば図１に示すように、内部に誘起されるうず電流によって自己発熱が可能な例えばステンレス鋼板等の磁性金属板よりなる内鍋（飯器ないし保温容器）３と、該内鍋３を任意にセットし得るように形成された合成樹脂製の有底筒状の保護枠（内ケース）４と、該保護枠（内ケース）４を保持する外部筺体である有底筒状の外ケース１と、該外ケース１と上記保護枠（内ケース）４とを一体化して形成された炊飯器器体Ａの上部に開閉可能に設けられた蓋ユニット（蓋）２とから構成されている。
【００４７】
上記保護枠（内ケース）４の底壁部（底部）４ａの下方側にはコイル台７が設けられ、その上部には、フェライトコアを介し、上記内鍋３の底壁部（底部）３ａの中央部と側方部および内鍋３の側壁部３ｂの各位置に対応して各々リッツ線が同心状に巻成された３組のワークコイルＣ１，Ｃ２，Ｃ３が、それぞれ内鍋３の底壁部３ａから側壁部３ｂに到る略全体を包み込むように設けられており、それらにより通電時には内鍋３の略全体にうず電流を誘起して、その全体を略均一に加熱するようになっている。そして、該ワークコイルＣ１，Ｃ２，Ｃ３は、それぞれ相互に直列に接続されている。そして、その一端は、整流回路および平滑回路を介したワークコイル駆動回路の電源ラインに、また他端は同回路中のＩＧＢＴ（パワートランジスタ）にそれぞれ接続されている。
【００４８】
また、上記側壁部側ワークコイルＣ３の上方部には、保温時において加熱手段として機能する保温ヒータＨ１が設けられており、保温時において上記内鍋３の全体を有効かつ均一に加熱するようになっている。
【００４９】
また、上記保護枠（内ケース）４およびコイル台７の前方部側には、上記ワークコイルＣ１，Ｃ２，Ｃ３、保温ヒータＨ１、肩ヒータＨ２等を駆動制御する上記ＩＧＢＴやヒータ駆動回路、マイコン制御ユニット、電源電圧整流用のダイオードブリッジよりなる整流回路、平滑回路などを備えた制御基板６Ａおよび制御基板収納ボックス５Ａが上下立設状態で設けられている。
【００５０】
また上記外ケース１は、例えば合成樹脂材で形成された上下方向に筒状のカバー部材１ａと、該カバー部材１ａの上端部に結合された合成樹脂製の肩部材１１と、上記カバー部材１ａの下端部に一体化された合成樹脂製の底部材１ｂとからなり、かつ上記保護枠（内ケース）４の底壁部４ａとの間に所定の広さの断熱および通風空間部を形成した全体として有底の筒状体に構成されている。そして、該外ケース１の前面部上方には、例えば図２に示すような略半月形状の操作パネル部２０が設けられている。該操作パネル部２０面には、十分に広く大きな表示面積をもつ液晶表示部２１と炊飯スイッチ２２ａ、タイマー予約スイッチ２２ｂ、取消スイッチ２２ｃ、保温スイッチ２２ｄ、再加熱スイッチ２２ｅ、メニュー選択スイッチ２２ｆ、時スイッチ２２ｇ、分スイッチ２２ｈ等の各種入力スイッチ（タッチキーのタッチ部）が設けられている。また、上記肩部材１１の肩部内周側には、肩ヒータＨ２が設けられている。
【００５１】
また、上記外ケース１内の上記操作パネル部２０の内側部分（裏側空間）には、上記制御基板６Ａの上端側位置から斜め前方に下降する格好で、例えば図３に示すようなマイコン基板６Ｂが傾斜設置されている。このマイコン基板６Ｂは、図３に詳細に示すように、液晶ディスプレイ３１、液晶ディスプレイ支持部材３０、炊飯スイッチ２２ａ、タイマー予約スイッチ２２ｂ、取消スイッチ２２ｃ、保温スイッチ２２ｄ、再加熱スイッチ２２ｅ、メニュー選択スイッチ２２ｆ、時スイッチ２２ｇ、分スイッチ２２ｈ等の各種入力スイッチ（タッチキーの動作機構部）が設けられた操作基板部６１と、その下方側にあって、図４に示すように円形をなすマイコンのバックアップ用電源電池４０の設置部（ランド部）３５、ワークコイルの定格出力（定格加熱出力）の調節設定用の可変抵抗３２等を有するマイコン用電源基板部６２とからなっており、それらは相互に分割されても良いようにジャンパー線等で接続されている。そして、これらは設置形態によっては、例えば中間部のスリット位置で相互に分割して設置固定される（図１では、そのまま設置）。
【００５２】
上記マイコン用電源基板６２側のマイコンバックアップ用の電源電池設置部３５は、図示のような円形のランド部よりなり、その裏面側に、例えば図５のＡ，Ｂ，Ｃに示すようなアース側第１〜第３の３組の接続回路パターン（アース側ショート端子回路）Ａ，Ｂ，Ｃが設けられた第１〜第３の電源電池接続孔（電池脚接続孔）Ａ，Ｂ，Ｃを設けて構成されている。
【００５３】
これら第１〜第３の電源電池接続孔（電池脚接続孔）Ａ〜Ｃは、それぞれ上記円形のランド部を円周方向に６分割し、各々その直径方向両端に上記マイコンバックアップ用の電源電池４０の（＋）（−）一対の接続脚（リード端子）４０ａ，４０ｂが挿入接続される一対の接続口を有して構成されている。
【００５４】
そして、それら第１〜第３のの接続孔Ａ，Ｂ，Ｃの内の何れの接続孔の接続口を選択して上記マイコンバックアップ用の電源電池４０の一対の接続脚４０ａ，４０ｂを挿入接続（挿入ハンダ付け）するかによって、その裏側の例えば図５に示すアース側第１〜第３の接続回路パターンＡ〜Ｃのショート端子ａ−ｂの対応する何れかが上記マイコンバックアップ用の電源電池４０の（−）側接続脚４０ｂを介して導通（ショート）されることになり、次のようにして当該機種の炊飯容量が決定される。
【００５５】
すなわち、今先ず図５の第１の電源電池接続孔Ａのアース側接続口のａ−ｂ端子間が導通されたとすると、マイコンよりなるマイコン制御ユニット４２には抵抗Ｒ１を介して＋Ｂ（Ｖ）の第１の電圧がそのまま入力され、これに基いてマイコン制御ユニット４２は、当該電気炊飯器が炊飯容量１８０タイプ（１升炊き）のものであると判定して、定格出力その他の各々対応する制御データを設定する。
【００５６】
他方、次に図５の第２の電源電池接続孔Ｂのアース側接続口のａ−ｂ端子間が導通されたすると、マイコン制御ユニット４２には、上記＋Ｂの電圧が抵抗Ｒ１とＲ２との比、すなわち（＋Ｂ・Ｒ２）／（Ｒ１＋Ｒ２）で分圧された第２の電圧が入力される。そして、これに基きマイコン制御ユニット４２は、当該電気炊飯器が炊飯容量１５０（８合炊き）のものであると判定し、定格出力その他の対応する各種制御データの設定を行う。
【００５７】
さらに、図５の第３の電源電池接続孔Ｃのアース側接続口のａ−ｂ端子間が導通されたすると、マイコン制御ユニット４２には、上記と異なり、０（Ｖ）の第３の電圧が入力される。そして、これに基きマイコン制御ユニット４２は、当該電気炊飯器が炊飯容量１００（５合炊き）のものであると判定して、定格出力その他の対応する各種制御データの設定を行う。
【００５８】
そして、このようにして判定される各機種（炊飯容量サイズ）１８０，１５０，１００は、例えば図２に示されるように、後述の製品検査工程の所定の工程において、その液晶表示部２１に表示される（図２は「１８０」の場合の例）。
【００５９】
さらに、図示はしないが、上記保護枠（内ケース）４下方側のコイル台７の中央部には、上下方向に同心状に貫通したセンタセンサ収納空間部が形成されており、該センタセンサ収納空間部中に上下方向に昇降自在な状態で、かつ常時コイルスプリングにより上方に上昇付勢された状態で内鍋温度検知センサおよび内鍋検知スイッチを備えたセンタセンサが設けられている。
【００６０】
一方、符号２は蓋ユニットであり、該蓋ユニット２は、その外周面を構成する合成樹脂製の外カバー１２と、該外カバー１２と内枠１４との間に設けられた金属製の断熱構造体１３と、該断熱構造体１３の内側にパッキン１７を介して設けられた金属製の内カバー１５と、該内カバー１５の下方に設けられた金属製の放熱板１６とによって内側が中空の断熱構造体に形成されている。また、上記断熱構造体１３は上下２枚の金属板１３ａ，１３ｂを閉断面構造に対向させて一体化することにより形成されている。
【００６１】
この蓋ユニット２は、上記外ケース１上部の肩部材１１に対してヒンジ機構を介して回動自在に取付けられており、その開放端側には、該蓋ユニット２の所定位置に係合して該蓋ユニット２の上下方向への開閉を行うロック機構１８が設けられている。
【００６２】
したがって、該構成では、先ず炊飯時には、上記内鍋３は、上記３組のワークコイルＣ１，Ｃ２，Ｃ３の駆動によりその底壁部３ａから側壁部３ｂ側にかけて略全体が均一に発熱し、例えば内鍋３内の水に浸された飯米が断熱部として作用する吸水工程などにおいても内鍋３の上部側をもムラなく加熱して略全体に均一な吸水性能を可能にするとともに、炊飯量が多い時などにも内鍋３の全体を略均一に加熱して加熱ムラなく効率良く炊き上げることができる。また、沸騰工程以降の水分がなくなった状態における内鍋３の底壁部３ａの局部的な熱の集中を防止して焦げ付きの発生を防止することができる。次に、保温時には、上記内鍋３の側壁部３ｂに対応して設けられた上記保温ヒータＨ１および肩ヒータＨ２の駆動により、内鍋３の底壁部３ａから側壁部３ｂおよび上方部の全体が適切な加熱量で均一に加熱されて加熱ムラのない保温が実現される。
【００６３】
一方、上記制御基板６Ａのマイコン制御ユニット４２には、上記各入力スイッチ２２ａ〜２２ｈを介して入力されたユーザーの指示内容を判断する所望の認識手段が設けられており、該認識手段で認識されたユーザーの指示内容に応じて所望の炊飯又は保温機能、所望の炊飯又は保温メニュー、それら炊飯又は保温メニューに対応した所定の加熱出力、加熱パターンを設定して、その炊飯加熱制御手段又は保温加熱制御手段としてのマイコン制御ユニット４２を適切に作動させて所望の炊飯又は保温を行うようになっている。
【００６４】
したがって、ユーザーは、上記各入力スイッチ２２ａ〜２２ｈを使って炊飯又は保温、タイマー予約、予約時刻設定、白米又は玄米、早炊、おかゆ、すしめし、おこわ、炊き込み等の炊き分け、通常保温又は低温保温その他の各種の炊飯又は保温機能の選択設定内容を入力すれば、それに対応した機能内容が当該マイコン制御ユニット４２内の上記認識手段を介して炊飯および保温加熱パターン等設定部に自動的に設定入力され、対応する炊飯又は保温加熱制御が所望の制御パターンで適切になされるようになる。
【００６５】
また、上記マイコン制御ユニット４２には、当該マイコン制御ユニット４２バックアップ用の電源電池４０が接続されると、当該電源電池４０が接続された第１〜第３の電源電池接続孔Ａ，Ｂ，Ｃの何れかに応じて異なる入力電圧が入力され、同入力電圧値に基いて、指定された機種（炊飯容量サイズ）の判定と対応する各種制御データの設定を行うようになっている。
【００６６】
したがって、同構成では、例えばマイコンのバックアップ用電源電池４０を所望の電源電池接続孔Ａ，Ｂ，Ｃの何れかに接続するだけで、その位置に応じて入力される入力電圧の値に基いて、容易かつ正確に機種の切換、設定を行うことができ、それに対応した自動的な制御データの設定がなされる。
【００６７】
（組立および検査工程）
ところで、以上のような電気炊飯器は、例えば図６のような製造組立ラインＬ１で組立てられ、その後、一旦完成した製品は、さらに、それに続く同図６の検査ラインＬ２を経て、梱包出荷される。
【００６８】
先ず上記製造組立ラインＬ１は、ベースとなる肩部材１１が導入されるＮｏ１工程、保護枠４に対してワークコイルＣ１，Ｃ２，Ｃ３を取り付けた上で上記肩部材１１にセットするＮｏ２工程、図３のマイコン基板６Ｂのマイコンバックアップ用の電源電池設置部３５に対して、上述のようにしてマイコンバックアップ用の電源電池４０を装着設置するとともに、併せて時計をセットするＮｏ３工程、上述した制御基板６Ａを炊飯器本体側制御基板収納ボックス５Ａに取り付けるＮｏ４工程、本体ケース下部に底部材１ｂを取り付けるＮｏ５工程、保護枠４内に内鍋３を収納するＮｏ６工程、本体ケースに対して蓋ユニット２を取り付けるＮｏ７工程よりなっており、上記Ｎｏ７工程が終了すると、Ｎｏ８工程で組立られた完成品が取り出される。
【００６９】
なお、以上のようにＮｏ３工程では、マイコン基板６Ｂのマイコンバックアップ用の電源電池設置部３５にマイコンバックアップ用の電源電池４０が設置され、基板裏面でハンダ付けされるが、この時、例えば同電源電池４０の一対の接続脚（リード端子）４０ａ，４０ｂの接続間違いやハンダ付け不良などにより、当該機種の実際の指定炊飯容量とは異なるサイズ設定がなされる可能性もある。
【００７０】
そこで、この実施の形態では、上記電源電池設置部３５の第１〜第３の接続孔Ａ，Ｂ，Ｃへの電源電池４０の接続状態に基づいてマイコン制御ユニット４２が判定した炊飯容量サイズ（１８０，１５０，１００）の何れかを、後述する製品検査ラインＬ２のエージング工程Ｎｏ３において、例えば図２に示すように上述の液晶表示部２１に表示させるようにしている。このようにすると、製品検査ラインＬ２のエージング工程Ｎｏ３における作業者は、直ちに、サイズ設定の誤りを発見することができ、マイコンバックアップ用の電源電池４０の接続孔位置を適正な位置に変更するように対応を取ることができる。
【００７１】
一方、同製品検査ラインＬ２の方は、例えば定格出力可変抵抗３２を操作したワークコイルＣ１〜Ｃ３の定格出力電力調整工程Ｎｏ１、それに対応した設定電力検査工程（電力計による自動計測）Ｎｏ２、エージング工程Ｎｏ３、保温温度検査工程Ｎｏ４、仕上げ工程Ｎｏ５、梱包工程Ｎｏ６の６つの工程からなっている。
【００７２】
その中で、特に上記エージング工程Ｎｏ３は、これまでのところ専用のテストモードを持たず、一般に各種炊飯メニューの中でも特に初期水温検知を必要としない「おこわメニュー」を利用して行っており、例えば図８の炊飯〜保温工程のタイムチャートに示されるように、炊飯開始時はフルパワー（１００％＝１６／１６）通電で一定時間ｔ１（例えばｔ１＝３０秒）保持し、この間にワークコイルＣ１〜Ｃ３の定格出力の調整を行う。そこで、その後、直ちに同出力に基いて、炊き上げを行う。従って、例えば１分ＯＦＦ後の安定した初期水温検知も、合数判定後の水温補正もできない（そのために、もちろん行ってもいない）。また、通常は、上記炊飯終了後、低温保温Ｔ１℃から高温保温Ｔ２℃へと段階的な制御を行うが、上記保温温度検査（Ｎｏ４）でバラツクために、高温保温Ｔ２℃のみで行ない、炊飯完了後の低温保温を禁止している。つまり、本来の炊飯性能と関係のない所で、幾つかの制限を伴っており、メニュー自体の内容も自由ではなかった。
【００７３】
そこで、この問題を解決するために、本実施の形態では、ラインエージング専用のテストモードを設け、例えば一定時間（例えば１秒）内に所定の操作スイッチ（例えば炊飯スイッチ２２ａ等）を所定回数（例えば３回）以上操作した時にのみエージングモードとなるようにし、製品検査ラインＬ２上では簡単に操作できるが、ユーザー側では容易に操作し得ない信頼のおけるシステムを実現している。
【００７４】
そして、該システムでは、上記エージングモードの中で、上述のワークコイル出力電力の調整工程Ｎｏ１や高温保温チェックも行うようにする。
【００７５】
このように、専用のエージングモードを設けると、上述の「おこわメニュー」等本来の炊飯メニューに制約を加えることなく、ライン作業に合わせた自由度の高い出力制御が可能となる。
【００７６】
そのため、上述の「おこわメニュー」は、これまでと違って全く自由な出力制御パターンのものを設計することができる。
【００７７】
したがって、また以上の構成は、例えば初期水温検知工程の無い「おこわメニュー」や「炊き込みメニュー」を具備しない機種の場合に、特に適したものともなる。なぜなら、上記のようなメニューが無く、必ず初期水温検知が必要な「白米炊飯」、「早炊き」、「無洗米」、また弱火で長時間かけて加熱する「玄米」、「おかゆ」などのメニューしか具備しない機種の場合には、炊飯性能に影響のない範囲内で、エージングと共用することは困難であるからである。
【００７８】
さらに、エージング工程Ｎｏ３では、マイコンバックアップ用の電源電池４０が接続された上記状態に基づく機種（炊飯容量１８０，１５０，１００）の何れかを、例えば図２に示すように上述の液晶表示部２１に表示させるようにしている（図２では「１８０」のサイズであることを示している）。このようにすると、エージング工程Ｎｏ３における作業者は、直ちに、マイコンバックアップ用の電源電池４０の接続による機種設定の誤りを発見することができ、マイコンバックアップ用の電源電池４０の接続孔位置を適正な位置に変更するように対応を取ることができる。
【００７９】
今例えば、これをフローチャートにして示すと、図７のようになり、先ず上述した炊飯スイッチ２２ａが所定時間（例えば１秒）内に１回のみ押されたか、又は複数回（例えば３回以上）押されたかを順次判定して行くことにより、製品検査ラインＬ２における作業者の指示が通常炊飯モードであるか、エージングモードであるのかを判定して行く（ステップＳ１，Ｓ３）。
【００８０】
上記炊飯スタートスイッチ２２ａのＯＮ操作が１秒間中に１回であり、ステップＳ１でＹＥＳと判定された前者である場合には、上記製造組立ラインＬ１のＮｏ３工程でセットされた時計により、正確な現在時刻を表示する（ステップＳ２）。
【００８１】
一方、少なくともＯＮ操作が複数回の通常炊飯モードではない場合には、次に同炊飯スタートスイッチ２２ａのＯＮ操作回数が所定時間（１秒）以内に所定基準回数（３回）以上であるエージングモードであるか否かを判定する（ステップＳ３）。
【００８２】
その結果、ＹＥＳのエージングモードである場合には、上記マイコン制御ユニット４２は、上記製造組立ラインＬ１のＮｏ３工程で装着設置されたマイコンバックアップ用の電源電池４０の接続孔位置（接続回路パターン）Ａ，Ｂ，Ｃの何れかに対応して入力された電圧値に応じ、それが１００サイズのものであるか、１５０サイズのものであるか、１８０サイズのものであるか、を各々判定し（ステップＳ４，Ｓ６）、当該判定結果に対応したサイズ１００，１５０，１８０を、それぞれ図２のように上述の液晶表示部２１に表示する（ステップＳ５，Ｓ７，Ｓ８）。
【００８３】
したがって、作業者は実際の製品機種と同表示サイズとのマッチングミスを容易に発見することができる。
【００８４】
（他の実施の形態）
なお、以上の実施の形態では、当該電気炊飯器の炊飯容量、換言すると、内鍋３の大きさを基準とした機種設定をマイコンバックアップ用の電源電池４０のマイコン基板６Ｂに対する接続孔位置Ａ，Ｂ，Ｃの選択によって行うようにしたが、最近では例えば内鍋３自体の大きさ（炊飯容量サイズ）は同じでも、種類（構造および特性）の異なるものを採用したものがあり、それらの間でも上述のようにマイコン基板を共通にしたものが提供されるようになっている。
【００８５】
例えば外層側から内層側にステンレス、銅、アルミ、遠赤加工部を形成した一般的な３層クラッドタイプのものと、ステンレス（ＳＵＳ３０４）、特殊ステンレス、ステンレス（ＳＵＳ３０４）、アルミ（１１４５）、アルミ合金（３００４）を積層した５層クラッドタイプのものとの間などでは、やはり有効な加熱出力や加熱特性が異なるので、それらの機種に応じた出力設定が必要となる。
【００８６】
本願発明は、このような機種設定に対しても、上記マイコンバックアップ用の電源電池４０の接続孔位置を変えることにより、上述の場合と全く同様に対応することができる。
【図面の簡単な説明】
【図１】本願発明の実施の形態に係る電気炊飯器本体の構成を示す一部切欠側面図である。
【図２】同電気炊飯器本体の要部である操作パネル部分の拡大正面図である。
【図３】同電気炊飯器本体内の要部である上記操作パネル裏面側のマイコン基板部分の平面図である。
【図４】同電気炊飯器本体内の要部であり、上記マイコン基板上の所定の位置に設置されるマイコンバックアップ用の電源電池の構成を示す斜視図である。
【図５】同電気炊飯器における要部である上記マイコン基板上の炊飯容量切換回路の構成を示す電気回路図である。
【図６】同電気炊飯器の組立および検査ラインの構成を示すラインフロー図である。
【図７】同電気炊飯器の図６の検査ライン側におけるエージング工程の内容を示すフローチャートである。
【図８】同電気炊飯器の炊飯および保温工程（吸水工程からむらし工程〜保温工程まで）における従来のエージング制御の内容を示すタイムチャートである。
【符号の説明】
１は外ケース、２は蓋ユニット、３は内鍋、４は内ケース、６Ａは制御基板、６Ｂはマイコン基板、２１は液晶表示部、３１は液晶ディスプレイ、３５はマイコンバックアップ用の電源電池設置部（ランド部）、４０はマイコンバックアップ用の電源電池、Ａ，Ｂ，Ｃはマイコンバックアップ用の電源電池設置部３５の第１〜第３の接続孔（電池脚接続孔）である。
【図１】
0003589213.tif 000002
【図２】
0003589213.tif 000003
【図３】
0003589213.tif 000004
【図４】
0003589213.tif 000005
【図５】
0003589213.tif 000006
【図６】
0003589213.tif 000007
【図７】
0003589213.tif 000008
【図８】
0003589213.tif 000009